(57)【要約】【課題】  持ち運びに便利であり、例えば水が溜められた水槽内の水を確実に沸かすことのできる簡易型湯沸かし器を提供する。【解決手段】  燃料を燃焼させて噴出するバーナー１と、当該バーナー１から噴出した燃焼ガスが流通する中空状の湯沸かし器本体３とからなり、液体が溜められた容器内に前記湯沸かし器本体３が浸漬される簡易型湯沸かし器であって、前記湯沸かし器本体３は前記容器上縁に係止する係止具５を備え、前記湯沸かし器本体３には、当該湯沸かし器本体３と前記容器壁面との距離を一定に保ち、前記湯沸かし器本体３を前記容器壁面に当接させないための距離保持手段６を備え、前記湯沸かし器本体３に、空気を外部から導入し、かつ、前記バーナーの火口部１ａを係止する吸気口３ａと、燃焼ガスを外部へ排出する排気口３ｂを備えた。【選択図】        図１
2008070028.tif 000002
【特許請求の範囲】
【請求項１】
燃料を燃焼させて噴出するバーナーと、
当該バーナーから噴出した燃焼ガスが流通する中空状の湯沸かし器本体とからなり、液体が溜められた容器内に前記湯沸かし器本体が浸漬される簡易型湯沸かし器であって、
前記湯沸かし器本体は前記容器上縁に係止する係止具を備え、
前記湯沸かし器本体には、当該湯沸かし器本体と前記容器壁面との距離を一定に保ち、前記湯沸かし器本体を前記容器壁面に当接させないための距離保持手段を備え、
前記湯沸かし器本体に、空気を外部から導入し、かつ、前記バーナーの火口部を係止する吸気口と、燃焼ガスを外部へ排出する排気口を備えたことを特徴とする簡易型湯沸かし器。
【請求項２】
前記距離保持手段は、前記湯沸かし器本体に備わるスペーサであることを特徴とする請求項１に記載の簡易型湯沸かし器。
【請求項３】
前記距離保持手段は、前記湯沸かし器本体を囲う枠材であることを特徴とする請求項１に記載の簡易型湯沸かし器。
【請求項４】
前記湯沸かし器本体には、放熱板が備わることを特徴とする請求項１〜３のいずれかに記載の簡易型湯沸かし器。
【請求項５】
燃料を燃焼させて噴出するバーナーと、
当該バーナーから噴出した燃焼ガスが流通する中空状の湯沸かし器本体とからなり、液体が溜められた容器内に前記湯沸かし器本体が浸漬される簡易型湯沸かし器であって、
前記湯沸かし器本体には、当該湯沸かし器本体と前記容器壁面との距離を一定に保ち、前記湯沸かし器本体を前記容器壁面に当接させないための距離保持手段を備え、
前記湯沸かし器本体に、空気を外部から導入し、かつ、前記バーナーの火口部を係止する吸気口と、燃焼ガスを外部へ排出する排気口を備えたことを特徴とする簡易型湯沸かし器。
【請求項６】
燃料を燃焼させて噴出するバーナーと、
当該バーナーから噴出した燃焼ガスが流通する中空状の湯沸かし器本体とからなる簡易型湯沸かし器であって、
前記湯沸かし器本体は、液体を溜めるための容器と一体化され、
前記湯沸かし器本体に、空気を外部から導入し、かつ、前記バーナーの火口部を係止する吸気口と、燃焼ガスを外部へ排出する排気口を備えたことを特徴とする簡易型湯沸かし器。
【請求項７】
前記排気口は複数個の小孔で形成され、
前記湯沸かし器本体には、前記燃焼ガスが前記排気口に向かうように気流を形成するための気流形成手段が備わり、
前記排気口が前記液体内に浸漬された状態で湯沸かしが行われることを特徴とする請求項１に記載の簡易型湯沸かし器。
【発明の詳細な説明】
【技術分野】
【０００１】
この発明は、容器（水槽、浴槽）に溜められた液体（水）を温める（沸かす）ための簡易型湯沸かし器に関するものである。
【背景技術】
【０００２】
小型ガスボンベを燃料にした湯沸かし器が特許文献１に記載されている。この湯沸かし器は、筐体に気化器により接続した小型ガスボンベとガスバーナーと、水管を内側に巻き付けた加熱筒を内蔵したものである。
【０００３】
【特許文献１】特開２００３−１６１５２６号公報
【発明の開示】
【発明が解決しようとする課題】
【０００４】
しかし、特許文献１の湯沸かし器は、水管の距離が一定であるため、供給する水の流速によっては確実に水を沸かすことができない。また、浴槽等の既に液体が溜まった状態の容器内の液体を温める場合に直接適用することができない。このような場合に特許文献１の湯沸かし器を適用させるためには、ポンプ等の水圧供給手段を介する必要があり、装置が大型化し、持ち運びに不便である。
【０００５】
この発明は前記従来技術を考慮したものであって、持ち運びに便利であり、液体が溜められた容器内の液体を確実に沸かすことのできる簡易型湯沸かし器の提供を目的とするものである。
【課題を解決するための手段】
【０００６】
前記目的を達成するため、請求項１の発明では、燃料を燃焼させて噴出するバーナーと、当該バーナーから噴出した燃焼ガスが流通する中空状の湯沸かし器本体とからなり、液体が溜められた容器内に前記湯沸かし器本体が浸漬される簡易型湯沸かし器であって、前記湯沸かし器本体は前記容器上縁に係止する係止具を備え、前記湯沸かし器本体には、当該湯沸かし器本体と前記容器壁面との距離を一定に保ち、前記湯沸かし器本体を前記容器壁面に当接させないための距離保持手段を備え、前記湯沸かし器本体に、空気を外部から導入し、かつ、前記バーナーの火口部を係止する吸気口と、燃焼ガスを外部へ排出する排気口を備えたことを特徴とする簡易型湯沸かし器を提供する。
【０００７】
請求項２の発明では、請求項１の発明において、前記距離保持手段は、前記湯沸かし器本体に備わるスペーサであることを特徴としている。
【０００８】
請求項３の発明では、請求項１の発明において、前記距離保持手段は、前記湯沸かし器本体を囲う枠材であることを特徴としている。
【０００９】
請求弧４の発明では、請求項１〜３のいずれかの発明において、前記湯沸かし器本体には、放熱板が備わることを特徴としている。
【００１０】
さらに、請求項５の発明では、燃料を燃焼させて噴出するバーナーと、当該バーナーから噴出した燃焼ガスが流通する中空状の湯沸かし器本体とからなり、液体が溜められた容器内に前記湯沸かし器本体が浸漬される簡易型湯沸かし器であって、前記湯沸かし器本体には、当該湯沸かし器本体と前記容器壁面との距離を一定に保ち、前記湯沸かし器本体を前記容器壁面に当接させないための距離保持手段を備え、当該距離保持手段は、スペーサ又は前記湯沸かし器を囲う枠材であり、前記湯沸かし器本体に、空気を外部から導入し、かつ、前記バーナーの火口部を係止する吸気口と、燃焼ガスを外部へ排出する排気口を備えたことを特徴とする簡易型湯沸かし器を提供する。
【００１１】
さらに、請求項６の発明では、燃料を燃焼させて噴出するバーナーと、当該バーナーから噴出した燃焼ガスが流通する中空状の湯沸かし器本体とからなる簡易型湯沸かし器であって、前記湯沸かし器本体は、容器と一体化され、前記湯沸かし器本体に、空気を外部から導入し、かつ、前記バーナーの火口部を係止する吸気口と、燃焼ガスを外部へ排出する排気口を備えたことを特徴とする簡易型湯沸かし器を提供する。
【００１２】
また、請求項７の発明では、前記排気口は複数個の小孔で形成され、前記湯沸かし器本体には、前記燃焼ガスが前記排気口に向かうように気流を形成するための気流形成手段が備わり、前記排気口が前記液体内に浸漬された状態で湯沸かしが行われることを特徴としている。
【発明の効果】
【００１３】
請求項１の発明によれば、バーナーから噴出する高温の燃焼ガスが流通する湯沸かし器本体を液体が溜められた容器内に投入して浸漬するので、湯沸かし器本体内を流通する燃焼ガスと、容器内の液体との熱交換作用により、効率よく確実に液体を温める（液体が水であれば湯を沸かす）ことができる。また、容器に対して投入型なので、液体を送水する手段を必要とせず、持ち運びに便利であり、特に屋外での使用において好適である。また、湯沸かし器本体に係止具が備わるため、湯沸かしの際に湯沸かし器本体を手で把持する必要がない。また、湯沸かし器本体に距離保持手段が備わるため、湯沸かし器本体が容器壁面に当接せず、容器を損傷させることがない。また、この簡易型湯沸かし器は、浴槽の水を湯にした後、これを外して入浴してもよく、また装着したまま入浴してもよい。なお、バーナーとしては草焼きバーナー等を用いることができる。また、湯沸かし器本体に、空気を外部から導入し、かつ、バーナーの火口部を係止する吸気口と、燃焼ガスを外部へ排出する排気口を備えるので、空気を酸化剤として火口部から燃焼ガスを確実に湯沸かし器本体内に流通させることができる。また、湯沸かし器本体にバーナーを着脱自在に取付ける構成、すなわちバーナーの火口部が吸気口内に係止されるので、火口部を確実に保持することができるとともに、取り扱い性が向上する。
【００１４】
請求項２の発明によれば、湯沸かし器本体と液体が溜められた容器壁面の距離を保つ距離保持手段がスペーサであるため、当該スペーサにより、確実に湯沸かし器本体と容器壁面の距離を保持することができ、高温の燃焼ガスが流通する湯沸かし器本体が容器内壁に当接することを防止できる。
【００１５】
請求項３の発明によれば、湯沸かし器本体と液体が溜められた容器壁面の距離を保つ距離保持手段が、湯沸かし器本体を囲う枠材であるため、当該枠材により、確実に湯沸かし器本体と容器壁面の距離を保持することができ、高温の燃焼ガスが流通する湯沸かし器本体が容器内壁に当接することを防止できる。
【００１６】
請求項４の発明によれば、湯沸かし器本体には、放熱板が備わるため、湯沸かし器本体を容器内に浸漬して液体を温める際に、湯沸かし器本体内の燃焼ガスと容器内の液体との熱交換を効率よくかつ迅速に行うことができる。
【００１７】
請求項５の発明によれば、バーナーから噴出する高温の燃焼ガスが流通する湯沸かし器本体を液体が溜められた容器内に投入して浸漬するので、湯沸かし器本体内を流通する燃焼ガスと、容器内の液体との熱交換作用により、効率よく確実に液体を温めることができる。また、容器に対して投入型なので、液体を送水する手段を必要とせず、持ち運びに便利であり、特に屋外での使用において好適である。また、湯沸かし器本体に距離保持手段が備わるため、湯沸かし器本体が容器壁面に当接せず、容器を損傷させることがない。また、この簡易型湯沸かし器は、浴槽の水を湯にした後、これを外して入浴してもよく、また装着したまま入浴してもよい。なお、バーナーとしては草焼きバーナー等を用いることができる。また、湯沸かし器本体に、空気を外部から導入し、かつ、バーナーの火口部を係止する吸気口と、燃焼ガスを外部へ排出する排気口を備えるので、空気を酸化剤として火口部から燃焼ガスを確実に湯沸かし器本体内に流通させることができる。また、湯沸かし器本体にバーナーを着脱自在に取付ける構成、すなわちバーナーの火口部が吸気口内に係止されるので、火口部を確実に保持することができるとともに、取り扱い性が向上する。さらに、この簡易型湯沸かし器を浸漬させながら、容器内を自由に移動させることができる。
【００１８】
請求項６の発明によれば、湯沸かし器本体が容器と一体化されるため、簡単に効率よく容器内の湯を沸かすことができる。また、容器を組み立て式の浴槽とすれば、さらに持ち運びの便がよくなり、屋外での使用に適している。
【００１９】
請求項７の発明によれば、ファン等の気流形成手段により、燃焼ガスが排気口側に向かうように気流が形成される。したがって、バーナーからの燃焼ガスは確実に複数個の排気口から液体内に気泡となって送られる。この高温の気泡により、液体を温めることができる。
【発明を実施するための最良の形態】
【００２０】
この発明は、燃料を燃焼させて噴出するバーナーと、当該バーナーから噴出した燃焼ガスが流通する中空状の湯沸かし器本体とからなり、液体が溜められた容器内に前記湯沸かし器本体が浸漬される簡易型湯沸かし器であって、前記湯沸かし器本体は前記容器上縁に係止する係止具を備え、前記湯沸かし器本体には、当該湯沸かし器本体と前記容器壁面との距離を一定に保ち、前記湯沸かし器本体を前記容器壁面に当接させないための距離保持手段を備え、前記湯沸かし器本体に、空気を外部から導入し、かつ、前記バーナーの火口部を着脱自在に係止する吸気口と、燃焼ガスを外部へ排出する排気口を備えたことを特徴とする簡易型湯沸かし器である。
【実施例１】
【００２１】
図１はこの発明に係る実施例１の簡易型湯沸かし器の（Ａ）は断面図であり、（Ｂ）は（Ａ）のＢ−Ｂ断面図であり、（Ｃ）は平面図であり、図２はこの発明に係る実施例１の簡易型湯沸かし器の概略斜視図である。
【００２２】
図示したように、この例におけるこの発明に係る簡易型湯沸かし器は、燃料を燃焼させて噴出するバーナー１と、このバーナー１から噴出する燃焼ガスが流通する中空状の湯沸かし器本体３とからなる。湯沸かし器本体３には吸気口３ａと排気口３ｂが備わり、吸気口３ａにはバーナー１が着脱可能に取付けられる。吸気口３ａは、バーナー１の径よりも大きく、この吸気口３ａの内壁とバーナー１との隙間から、バーナー１が燃料を燃焼させるための酸化剤としての空気が流入する。
【００２３】
バーナー１としては、気体燃料を封入したガスボンベを利用したガスバーナーや、液体、粉体の燃料を利用したバーナーを適用可能である。例えば、市販されている草焼きバーナー等も適用可能である。この草焼きバーナーは、ガスボンベから火口部にガスを導入し、バーナー本体内でガスを燃焼させるものであり、手元の操作部で点火スイッチを押すことにより、ガスが点火し、また手元の操作部でガスの供給を止めて火を消すことができる。２はバーナー１が吸気口３ａ内に深く入り込まないようにするためのストッパ部材である。なお、図では吸気口３ａの内壁面から４つのストッパ部材２が突出して設けられた例を示す。また、当該吸気口３ａの内周壁から複数の保持部材２ａが突出してこれらの保持部材２ａの先端でバーナー１の火口部１ａを係止、保持している。また、このように火口部１ａを吸気口３ａに係止しても、当該吸気口３ａの内周と火口部１ａ外周との間に間隙を有し、外気を吸気口３内に入れることができる。
【００２４】
この保持部材２ａは、例えば、弾性材料で形成され、吸気口３ａから挿入された火口部１ａを周囲から当接してその弾性により押圧して保持する。なお、火口部１ａを吸気口３ａ内に保持する機構を備えれば、保持部材２ａに限らず、どのような部材を用いてもよい。
【００２５】
バーナー１から噴出した燃焼ガスは、湯沸かし器本体３内を排気口３ｂ方向（図の矢印方向）に流通する。このため、湯沸かし器本体３自体が高温となる。したがって、この湯沸かし器本体３を例えば水が溜まった水槽（浴槽）内に投入して浸漬すれば、湯沸かし器本体３を介した燃焼ガスと水槽内の水との熱交換作用により、水槽内の水が温まる。このようにして、この発明の簡易型湯沸かし器により、水槽内の湯を沸かすことができる。すなわち、容器内の液体を温めることができる。
【００２６】
湯沸かし器本体３の吸気口３ａ及び排気口３ｂの外側一側面には、断面略コ字状の係止具５が備わる。この係止具５に水槽の上縁を引っ掛けて係止できる。このため、湯沸かしの際に湯沸かし器本体３を手で把持する必要がない。湯沸かし器本体３の係止具５が取付けられた側の側面には、複数個のスペーサ６が備わる。このスペーサ６により、水槽壁面に湯沸かし器本体３が当接することを防止できるので、高温の燃焼ガスが流通する湯沸かし器本体３が水槽内壁に当接して水槽が損傷することを防止できる。また、スペーサ６により湯沸かし器本体３の略全面で熱交換できるように、表面積を確保できるので、効率よく湯沸かしできる。なお、係止具５及びスペーサ６の取付け位置及び個数は、図示した例に限定されず、適宜変更可能である。
【００２７】
図３は図１に示した簡易型湯沸かし器を浴槽に取り付けたときの断面図である。
図示したように、水が溜められた浴槽７の側面の上縁に、係止具５を引っ掛けて湯沸かし器本体３を取付ける。このとき、湯沸かし器本体３に備わるスペーサ６により、湯沸かし器本体３は浴槽７の内壁面から一定の距離に保持される。このようにして、湯沸かし器本体３を浴槽７に取付けることにより、高温の燃焼ガスが流通する湯沸かし器本体３を水が溜められた浴槽７内に投入して浸漬できるので、燃焼ガスと水との熱交換作用により、効率よく確実に湯を沸かすことができる。また、湯沸かし器本体３は、浴槽７に対して投入型なので、温めたい水を送水する手段を必要とせず、持ち運びに便利であり、特に屋外での使用において好適である。この発明が適用される他の具体例としては、屋外イベント等で配られるようなカレーやコーヒー、あるいはお茶等の液体が入った鍋等の容器に投入し、これらを温めることが考えられる。
【実施例２】
【００２８】
図４はこの発明に係る実施例２の簡易型湯沸かし器の概略斜視図であり、図５は正面図、図６は浴槽に投入した状態を示す断面図であり、図７は湯沸かし器本体と枠材との結束を示す概略斜視図である。
【００２９】
図示したように、この例におけるこの発明に係る簡易型湯沸かし器は、燃料を燃焼させて噴出するバーナー１と、このバーナー１から噴出する燃焼ガスが流通する中空状の湯沸かし器本体３とからなる。湯沸かし器本体３は、吸気管３ｃと排気管３ｄ及びこれらと連通して両者を連結する複数本（図では３本）の連結管３ｅで構成される。各連結管３ｅには、複数枚（図では５枚）の放熱板８が取付けられる。これにより、湯沸かし器本体３を浴槽７内に浸漬して水を沸かす際に、湯沸かし器本体３内の燃焼ガスと浴槽７内の水との熱交換を効率よくかつ迅速に行うことができる。なお、熱交換を効率よく行うために、連結管３ｅの表面積を大きくする方法としては、連結管３ｅに波型のトタン板を取り付けることが考えられる。
【００３０】
湯沸かし器本体３は、枠材９で囲われる。この枠材９に係止具５が備わる。したがって、係止具５を浴槽７に係止した場合（図６参照）、この枠材９が浴槽７の内壁面と湯沸かし器本体３との距離を保持するスペーサの役割を果たす。湯沸かし器本体３は、枠材９の外側を巻回する巻線部材１０に、湯沸かし器本体３に巻きつけた耐熱性を有する結束部材１１を係止することにより固定される。これにより、湯沸かし器本体３は枠材９に確実に固定される。巻線部材１０及び結束部材１１の例としては、例えば針金であり、結束部材１１を巻線部材１０に結びつけることにより固定する。
【００３１】
なお、湯沸かし器本体３を枠材９に固定する構造はこれに限定されるものではなく、巻線部材１０をネット状の部材で形成したり、あるいは格子状の部材で形成することが考えられる。
【００３２】
その他の構成、作用、効果は図１に示す例と同様である。
【００３３】
また、湯沸かし器本体３に備わる係止具５を備えずに、枠材９の、例えば４隅の支柱の下端にキャスター等の移動手段を取り付けて、水槽内を自由に移動させてもよい。
【実施例３】
【００３４】
図８（Ａ）はこの発明に係る実施例３の簡易型湯沸かし器を浴槽に取付けたときの断面図であり、（Ｂ）はその平面図である。
図示したように、この例におけるこの発明に係る簡易型湯沸かし器は、燃料を燃焼させて噴出するバーナー１と、このバーナー１から噴出する燃焼ガスが流通する中空状の湯沸かし器本体３とからなる。図ではガスボンベ４を利用したバーナー１を示す。バーナー１は途中で分岐（図では３つに分岐）し、それぞれに火口部１ａを備える。バーナー１から噴出される燃焼ガスは、湯沸かし器本体３内を流通する。湯沸かし器本体３は、両端に吸気口３ａ及び排気口３ｂを有する断面略コ字状の中空部材であり、同じく断面略コ字状の浴槽７の内壁面より一回り小さい形状である。
【００３５】
吸気口３ａはバーナー１が接続された状態で、なお開口部分１３を有しているので、ここから空気が流入し、ガスボンベ４からの可燃性ガスとの混合気として燃焼ガスを形成することができる。湯沸かし器本体３の外側面には係止具５が備わる。湯沸かし器本体３の下面と浴槽７の底面の間には、断熱板１４が配設される。この係止具５及び断熱板１４がスペーサとなり、湯沸かし器本体３と浴槽７の内壁との接触を防止する。なお、別にスペーサとなるような部材を設けるか、湯沸かし器本体３を浴槽７に係止した際、湯沸かし器本体３の底部と浴槽７の底板とが接触しない寸法とし、湯沸かし器本体３底部が浮いた構成にしてもよい。さらに、この実施例３の湯沸かし器を浴槽７に入れたまま入浴する場合は、当該湯沸かし器本体３の上にすのこ状の部材を敷いて使用することもできる。
【００３６】
その他の構成、作用、効果は図１に示す例と同様である。
【００３７】
図９はこの発明に係る実施例１〜３の湯沸かし器に使用する係止具の側面図である。
図示したように、係止具５は断面Ｌ字状の雄部材５ａ及び雌部材５ｂで構成され、雄部材５ａの一方の端部は雌部材５ｂの一方の端部内を挿通可能である。雄部材５ａには、長孔１５が貫通して設けられる。雌部材５ｂには一個のネジ孔１６が設けられ、雄部材５ａを雌部材５ｂに挿入した状態で長孔１５、ネジ孔１６を挿通させてネジ１７を螺入する。ネジ１７が挿通する長孔１５の位置を調整することにより、係止具５の係止幅Ｗが変更可能となるので、浴槽７の側面の幅Ａに対して適切な係止幅Ｗを調整できる。この係止幅Ｗの調整機構は、図で示した例に限らず、係止具５を係止幅Ｗ方向に縮む弾性体で形成し、浴槽７に係止する際にこれを伸ばして係止させる構成としてもよい。
【００３８】
雄部材５ａの他方の端部側の片には、ネジ孔１８が形成される。浴槽７の外側面にマウント部材１９を当てて、ネジ孔１８にネジ２０を螺入することにより、係止具５を浴槽７に確実に固定することができる。この構成により、浴槽７の側壁の厚さの大小にかかわらず、係止具５を係止することができる。
【００３９】
図１０はこの発明が適用される浴槽の例を示す概略構成図であり、図１１は図１０の浴槽の前板の概略構成図、図１２は図１０の浴槽の前板と底板の接続部分を示す断面図である。
【００４０】
この発明の簡易型湯沸かし器は、水が溜められた浴槽に限らず、水が溜められていれば、種々の水槽、桶、鍋等の容器全般に利用できるが、図１０で示したような組み立て式の浴槽２１にも適用できる。組立て式浴槽２１は、板状の底板２２、側板２３，２４、前板２５、後板２６がそれぞれ別部材で構成され、各板２２〜２６はパッキン２７を介して接合される。このような組み立て式の浴槽２１とこの発明の簡易型湯沸かし器は、両者ともに持ち運びの便がいいため、屋外での使用や、移動式の浴槽を提供する場合に特に好適に使用できる。底板２２には、突出片の長さが異なり、短い突出片を内側にした断面略コ字状のコ字状部材３４が備わる。
【００４１】
図１１で示すように、浴槽２１の前板２５は、上枠２８、下枠２９及び左右の側枠３０からなる枠体の一側面に板材３２を貼り付けて構成される。枠体の中央には補強枠３１が架け渡される。下枠２９には上側に突出した突片３３が備わる。図１２に示すように、この前板２５と底板２２は、前板の板材３２、下枠２９、突片３３で形成される略コ字状構造と、底板２２上に備わるコ字状部材３４を互いに係合させて接続される。左右の側板２３，２４及び後板２６も、前板２５と同様の構成で、底板２２と接続される。また、浴槽２１の側板２３，２４、前板２５及び後板２６は相互に適宜の係止部材（図示省略）及び被係止部材（図示省略）で着脱自在に係止される。
【００４２】
図１３は前記実施例１〜３の湯沸かし器を用いた入浴方法のフローチャート図である。
ステップＳ１：
浴槽に水を溜める。この水は、ぬるま湯でもよい。
ステップＳ２：
湯沸かし器本体を浴槽内に投入して浸漬し、湯沸かし器本体を係止具により浴槽に係止させる。
【００４３】
ステップＳ３：
バーナーを湯沸かし器本体に装着し、燃料を燃焼させて燃焼ガスを湯沸かし器本体内に流通させる。
ステップＳ４：
浴槽に浸漬された湯沸かし器本体の流通通路内を流通する燃焼ガスと、浴槽内の水との熱交換作用により、浴槽内の水を温める（湯沸かし）。
【００４４】
ステップＳ５：
水が十分温まったら、バーナーを停止する。
ステップＳ６：
係止具を浴槽から取り外し、湯沸かし器本体を取り外す。
ステップＳ７：
湯沸かし器本体が浴槽内にない状態で、入浴する。
【００４５】
このような入浴方法により、簡単かつ手軽に浴槽の湯沸かしができるとともに、入浴者にとって浴槽を広く利用でき、高温の燃焼ガスが流通していた湯沸かし器本体に気を使うことなくゆっくりと安らぎながら入浴できる。
【実施例４】
【００４６】
図１４はこの発明に係る実施例４の簡易型湯沸かし器を示し、（Ａ）は概略構成図であり、（Ｂ）は平面図である。
この実施例の簡易型湯沸かし器は、上述した図１０〜図１２で示した組み立て式の浴槽２１に適用される。図示したように、この例におけるこの発明に係る簡易型湯沸かし器は、燃料を燃焼させて噴出するバーナー１と、このバーナー１から噴出する燃焼ガスが流通する中空状の湯沸かし器本体３とからなる。湯沸かし器本体３は、組み立て式の浴槽の前板２５に固定されて設けられる。すなわち、湯沸かし器本体３の一側面には取付片３５が複数個備わり、この取付片３５が前板２５に固定される。この固定は、溶着や、ビス止め等固定できればどのような手段を用いてもよい。また、湯沸かし器本体３が取り付けられるのは、前板２５に限らず、側板２３，２４あるいは後板２６であってもよい。また、前板２５（側板２３，２４、後板２６）を中空として、吸気口及び排気口を設けて湯沸かし器本体としてもよい。
その他の構成、作用、効果は図１に示す例と同様である。
【実施例５】
【００４７】
図１５はこの発明に係る実施例５の簡易型湯沸かし器の概略構成図である。
図示したように、この実施例の簡易型湯沸かし器は、燃料を燃焼させて噴出するバーナー１と、このバーナー１から噴出する燃焼ガスが流通する中空状の湯沸かし器本体３とからなる。湯沸かし器本体３は、組み立て式浴槽２１（図１０〜図１２参照）の底板２２、側板２３，２４と一体となっている。すなわち、側板２３，２４の外側に湯沸かし器本体３の吸気管３ｃと排気管３ｄがそれぞれ固定され、この吸気管３ｃと排気管３ｄは、底板２２の側面に備わる中空の連結部３６と連通する。なお、吸気管３ｃ及び排気管３ｄは側板２３，２４の内側に固定してもよい。底板２２は中空であり、したがって吸気管３ｃと排気管３ｄは底板２２を介して連通する。なお、吸気管３ｃと排気管３ｄが固定されるのは前板２５と後板２６であってもよい。
その他の構成、作用、効果は図１に示す例と同様である。
【実施例６】
【００４８】
図１６はこの発明に係る実施例６の簡易型湯沸かし器の使用状態を示す断面図である。
図示したように、実施例６の簡易型湯沸かし器は、湯沸かし器本体３の排気口３ｂをバーナー１からの燃焼ガスの通路３８の上面に複数個形成される。したがって、排気口３ｂは、容器３７内の液体内に浸漬される。この排気口３ｂから液体が通路３８に浸入しないように、湯沸かし器本体３の吸気口３ａ側にはファン４０が備わる。このファン４０により、通路３８内の空気の流れが排気口３ｂ側に向かうように形成される（図の矢印方向）。すなわち、ファン４０により、排気口３ｂにかかる液圧より高い圧力で通路３８内に空気を送る。従って、バーナー１からの燃焼ガスは確実に複数個の小孔からなる排気口３ｂから容器３７内の液体内に気泡４１となって送られる。この高温の気泡４１により、液体が温められる。この実施例７の湯沸かし器本体３により液体を温める際は、まずファン４０を作動させて通路３８に空気の流れを形成したまま液体内に浸漬する。この後、バーナー１を点火して燃焼ガスの気泡４１により液体を温める。温めが完了したら、バーナー１を止め、ファン４０を作動させたまま湯沸かし器本体３を液体から取り出す。これにより、湯沸かし器本体３を投入の際も取り外しの際も通路３８内に液体が浸入することを防止できる。
その他の構成、作用、効果は図１に示す例と同様である。
【００４９】
図１７はこの発明に係る簡易型湯沸かし器の使用例を示す断面図である。
図示したように、この発明に係る簡易型湯沸かし器は、スチームサウナ形成のためにも使用することができる。容器３７内に湯沸かし器本体３を配設する。この状態で、バーナー１からの燃焼ガスの通路３８の上面に水滴３９を垂らすことにより、高温の通路３８により水滴３９が気化し、蒸気となる。これによりスチームサウナとして利用できる。この水滴を薬品とすれば、薬液による蒸気を形成でき、部屋に設置することにより薬液による全身消毒等にも利用できる。
【図面の簡単な説明】
【００５０】
【図１】この発明に係る実施例１の簡易型湯沸かし器の（Ａ）は断面図であり、（Ｂ）は（Ａ）のＢ−Ｂ断面図であり、（Ｃ）は平面図である。
【図２】この発明に係る実施例１の簡易型湯沸かし器の概略斜視図である。
【図３】この発明に係る実施例１の簡易型湯沸かし器を浴槽に取り付けたときの断面図である。
【図４】この発明に係る実施例２の簡易型湯沸かし器の概略斜視図である。
【図５】この発明に係る実施例２の正面図である。
【図６】この発明に係る実施例２の簡易型湯沸かし器を浴槽に投入した状態を示す断面図である。
【図７】この発明に係る実施例２の湯沸かし器本体と枠材との結束を示す概略斜視図である。
【図８】（Ａ）はこの発明に係る実施例３の簡易型湯沸かし器を浴槽に取付けたときの断面図であり、（Ｂ）はその平面図である。
【図９】この発明に係る実施例１〜３の湯沸かし器に使用する係止具の側面図である。
【図１０】この発明が適用される浴槽の例を示す概略構成図である。
【図１１】図１０の浴槽の側板の概略構成図である。
【図１２】図１０の浴槽の側板と底板の接続部分を示す断面図である。
【図１３】この発明に係る実施例１〜３の湯沸かし器を用いた入浴方法のフローチャート図である。
【図１４】この発明に係る実施例４の簡易型湯沸かし器を示し、（Ａ）は概略構成図であり、（Ｂ）は平面図である。
【図１５】この発明に係る実施例５の簡易型湯沸かし器の概略構成図である。
【図１６】この発明に係る実施例６の簡易型湯沸かし器の使用状態を示す断面図である。
【図１７】この発明に係る簡易型湯沸かし器の使用例を示す断面図である。
【符号の説明】
【００５１】
１：バーナー、２：ストッパ部材、３：湯沸かし器本体、３ａ：吸気口、３ｂ：排気口、３ｃ：吸気管、３ｄ：排気管、３ｅ：連結管、４：ガスボンベ、５：係止具、６：スペーサ、７：浴槽、８：放熱板、９：枠材、１０：巻線部材、１１：結束部材、１３：開口部分、１４：断熱板、１５：ネジ孔、１６：ネジ孔、１７：ネジ、１８：ネジ孔、１９：マウント部材、２０：ネジ、２１：組立て式浴槽、２２：底板、２３，２４：側板、２５：前板、２６：後板、２７：パッキン、２８：上枠、２９：下枠、３０：側枠、３１：補強枠、３２：板材、３３：突片、３４：コ字状部材、３５：取付片、３６：連結部、３７：容器、３８：通路、３９：水滴、４０：ファン、４１：気泡
【図１】
2008070028.tif 000003
【図２】
2008070028.tif 000004
【図３】
2008070028.tif 000005
【図４】
2008070028.tif 000006
【図５】
2008070028.tif 000007
【図６】
2008070028.tif 000008
【図７】
2008070028.tif 000009
【図８】
2008070028.tif 000010
【図９】
2008070028.tif 000011
【図１０】
2008070028.tif 000012
【図１１】
2008070028.tif 000013
【図１２】
2008070028.tif 000014
【図１３】
2008070028.tif 000015
【図１４】
2008070028.tif 000016
【図１５】
2008070028.tif 000017
【図１６】
2008070028.tif 000018
【図１７】
2008070028.tif 000019